(57)【要約】      （修正有）【課題】組子を利用した照明器具等の組立体において、異なる模様の組子の組み合わせが容易で、制作が容易な組立体を提供する。【解決手段】本考案の組立体である照明器具は、外郭及び組子１１を備えている。外郭の側面は４個の外枠３及び組子１１を組み合わせ、その上面は天井枠及び天井用組子が設けられている。外枠３には、（Ｂ）に示す格子状の組子枠体１０、又は（Ｃ）に示す模様の組子枠体１０等の任意の組子枠体１０を装着でき、組み合わせを自由に選択することができる。外枠３はシンプルな構成で、機械加工により製造が可能である。組子枠体１０は、組子１１と枠体１２とから形成され、一方の面に透光板１３が設けられる。【選択図】図２
0003223455.tif 000002
【実用新案登録請求の範囲】
【請求項１】
組子を利用した照明器具等に用いられる組立体であって、
前記組立体の外郭を構成し、外部から内部を視認可能な窓部を有する外枠と、
前記組子とその周囲を囲む枠体とから形成される組子枠体と備え、
前記外枠の前記窓部には、前記組子枠体を装着する組子枠体装着部が形成されていることを特徴とする組子を用いた組立体。
【請求項２】
請求項１に記載の組子を用いた組立体であって、
前記外枠は、柱状の部材を枠状に組み合わせて形成され、
前記組立体が平面視で多角形に形成され、
前記外枠において、隣接する他の外枠と連結される連結面の平面視での角度が、Ｎ角形（Ｎは３以上の整数）の場合に９０−１８０／Ｎ°に形成されていることを特徴とする組子を用いた組立体。
【請求項３】
請求項１又は２に記載の組子を用いた組立体であって、
前記組子枠体は、前記組子の一方の面に透光性を有する透光板が形成され、
前記組子枠体は、前記組子枠体装着部に対して、前記透光板を前記窓部から外部に露出させるか、前記透光板を前記組立体の内方に位置させるかを選択可能であることを特徴とする組子を用いた組立体。
【考案の詳細な説明】
【技術分野】
【０００１】
本考案は、木工細工である組子を意匠的に利用した照明器具に代表される、組子を用いた組立体に関する。
【背景技術】
【０００２】
照明器具において、木製の外枠に組子を組み付けたものが知られている（特許文献１等）。この種の照明器具は、内部のランプを点灯させることにより、組子の模様によって光と影の模様を生じさせ、意匠性の高いライティングを行うことが可能となっている。
【０００３】
この種の組子を用いた照明器具は、木製の外枠に組子を組み付け、その外枠を組み立てて照明器具としているものが一般的である。組子は、単純な格子模様や、複雑な幾何学模様、或いは花や木のような自然物の形状をモチーフにしたものもあり、多種多様である。
【０００４】
組子の制作は、単純なものでも美しく仕上げるためにはある程度の熟練度を必要とし、組子を外枠に組み付ける際にも、相応の熟練度を必要とする。従って、照明器具等を制作する場合には、熟練した職人による作業が必要となり、照明器具自体が職人による作品という位置づけとなる。
【先行技術文献】
【特許文献】
【０００５】
【特許文献１】登録実用新案第３２０３９９１号公報
【考案の概要】
【考案が解決しようとする課題】
【０００６】
このように、照明器具等の組立体自体が職人による作品という位置づけとなるため、例えば種類の異なる組子を組み合わせた照明器具を制作する場合にも、オーダーメイドとなり、制作する職人が、外枠に対して異なる模様の組子を組み付ける必要がある。
【０００７】
また、製造者側としては、美しい組子をもっと手軽に利用してもらいたいという要望もあるが、上述のように、組子を用いた照明器具等は、熟練した職人による作業が必要となるため、大量生産に向いていない。また、製造コストもかかるため、製品の価格を低くすることが困難であった。
【０００８】
上記の点に鑑み、本考案は、組子を利用した照明器具等の組立体において、異なる模様の組子の組み合わせを容易に行うことができる組立体を提供することを目的とする。また、本考案の他の目的は、職人による作業の割合を低減させることができ、大量生産にも対応可能で、製造コストを抑えることが可能な組立体を提供することにある。
【課題を解決するための手段】
【０００９】
かかる目的を達成するために、本考案は、組子を利用した照明器具等に用いられる組立体であって、前記組立体の外郭を構成し、外部から内部を視認可能な窓部を有する外枠と、前記組子とその周囲を囲む枠体とから形成される組子枠体と備え、前記外枠の前記窓部には、前記組子枠体を装着する組子枠体装着部が形成されていることを特徴とする。
【００１０】
本考案の組子を利用した組立体は、外枠と組子枠体とを別個に形成し、任意に組み合わせすることができる。従って、外枠に対して複数種類の組子を組み込むことができ、異なる模様の組子の組み合わせが容易となる。
【００１１】
また、当該構成により、外枠は、組子の制作が可能な職人を必要とせず、熟練度の低い者や、機械加工でも形成可能となっている。また、組子枠体は、外枠のことを気にすることなく制作することができるので、当該組子枠体を制作する者は、組子枠体の制作に集中することができる。
【００１２】
また、本考案の組子を用いた組立体においては、前記外枠は、柱状の部材を枠状に組み合わせて形成され、前記組立体が平面視で多角形に形成され、前記外枠において、隣接する他の外枠と連結される連結面の平面視での角度が、Ｎ角形（Ｎは３以上の整数）の場合に９０−１８０／Ｎ°に形成されていてもよい。
【００１３】
当該構成によれば、複数の外枠によって組立体の外郭を形成する際に、平面視でＮ角形にする場合、連結面の平面視での角度を９０−１８０／Ｎ°とすることにより、容易に組立体の外郭を形成することができる。例えば、三角形の場合は３０°、四角形の場合は４５°、五角形の場合は５４°、六角形の場合は６０°、八角形の場合は６７．５°、十二角形の場合は７５°となる。
【００１４】
また、本考案の組子を用いた組立体においては、前記組子枠体は、前記組子の一方の面に透光性を有する透光板が形成され、前記組子枠体は、前記組子枠体装着部に対して、前記透光板を前記窓部から外部に露出させるか、前記透光板を前記組立体の内方に位置させるかを選択可能に形成されていてもよい。
【００１５】
組子を用いた組立体において、外枠の窓部から見える組子の表面がガラス板やアクリル板等の透光板によって覆われているか、或いは組子が直接見えるかによって、組立体の趣が大きく異なる。本考案においては、外枠に対して、組子枠体に設けられた透光板の向きを換えることにより、当該遮光板を窓部から露出させるか、内部に位置させるか、容易に選択することができる。従って、創作者の好みや、需用者の好みに応じて、上記２つの態様のいずれも容易に制作することができる。
【図面の簡単な説明】
【００１６】
【図１】本考案の実施形態の一例である照明器具を示す説明図。
【図２】図１の照明器具の外枠（Ａ）と２種類の組子枠体（Ｂ）（Ｃ）とを示す分解図。
【図３】外枠の連結面の角度を示す説明図であり、（Ａ）は四角形、（Ｂ）は六角形を示す。
【図４】(Ａ）及び（Ｂ）は本実施形態の組子枠体の外枠への組み付け方向を変えた状態を示す説明的断面図。
【図５】本実施形態の組立体における天井部分の構成を示す分解図。
【考案を実施するための形態】
【００１７】
本考案の組立体の一実施形態である組子を利用した照明器具（行灯）について、図１〜図５を参照して説明する。図１は、本実施形態の照明器具１の外郭２及び組子１１等の構成を示す説明図である。この外郭２及び組子１１の内部にランプ等（図示省略）を配置することにより、照明器具１として使用することができるようになっている。
【００１８】
図１に示すように、本実施形態の照明器具１は、側面視で縦長長方形の外枠３が４個、角筒状に連結されて側面を形成しており、その上方に平面視で正方形の天井枠４が組み付けられて外郭２が形成されている。各外枠３には、それぞれ窓部５が形成されており、その窓部５を介して外部から組子１１が視認可能に形成されている。
【００１９】
各外枠３は、図２に示すように、木製の柱状の部材が４本組み合わされて枠状に形成されている。外枠３には、その内部に後述する組子枠体１０を装着する組子枠体装着部３ａが形成されている。この組子枠体装着部３ａには、組子枠体１０が挿入されて接着剤等により固定されるようになっている。
【００２０】
組子枠体装着部３ａは、後述する組子枠体１０が外枠の内面側（図２（Ａ）における手前側）から装着されるように形成されている。組子枠体装着部３ａの外枠３の外面側には、組子枠体１０が外側に出ないように鍔部３ｂが形成されている。
【００２１】
また、外枠３は、隣接する外枠３と連結される連結面３ｃを有している。この連結面３ｃは、平面視での角度がＮ角形（Ｎは３以上の整数）の場合に９０−１８０／Ｎ°に形成されている。なお、外枠３の上面は、天井枠４と連結される天井連結面３ｄとなっており、下面は底部連結面３ｅとなっている。
【００２２】
本実施形態においては、外郭２が平面視で四角形であるので、柱状の部材の連結面３ｃの角度は、９０−１８０／４となり、４５°に形成となる（図３（Ａ）参照）。なお、図３（Ｂ）は、外郭２が平面視で六角形の場合の柱状の部材を示しており、その角度は平面視で６０°となっている。
【００２３】
その他、外郭２が平面視で三角形の場合は、連結面３ｃの角度は３０°となる。同様に、五角形の場合は角度が５４°、八角形の場合は角度が６７．５°、十二角形の場合は角度が７５°となる（いずれも図示省略）。
【００２４】
以上のように、外枠３は、柱状の部材を加工して組み合わせたシンプルな形状であり、職人の熟練の技は必要なく、大量生産が可能で、製造コストも低く抑えることができる。
【００２５】
組子枠体１０は、図２（Ｂ）に示すように、木製の組子１１と、その周囲を囲む木製の枠体１２と、組子１１及び枠体１２の一面を覆う透光板１３から形成されている。
【００２６】
組子１１の形状は任意となっており、図２（Ｂ）に示すようなシンプルな形状の他、図２（Ｃ）に示すような模様を象った形状とすることもできる。その他、組子１１の形状としては、従来より制作されてきた種々の形状のものを用いることができる。この組子１１を制作する職人は、組子１１を外枠３の形状に合わせる必要がないため、組子１１の制作に集中して取り組むことができる。
【００２７】
組子枠体１０は、本実施形態では薄い柱状の部材によって形成され、側面視で長方形状に形成されている。このように、組子枠体１０はシンプルな形状となっているため、制作者は、組子１１を枠体１２に組み込む際にも容易に作業を行うことができる。
【００２８】
透光板１３は、照明器具１の内部の保護や、照明器具１に意匠性を付加するために用いられている。本実施形態では、透光板１３は、組子枠体１０の外面側に取り付けられ、外枠３の外面側に位置するように設けられている（図２及び図４（Ａ）参照）。
【００２９】
一方で、透光板１３が設けられた組子枠体１０を、外枠３に対して裏返し、図４（Ｂ）に示すように、透光板１３を組子枠体１０の内方に位置させた状態で外枠３に組み付けることも選択可能である。このように透光板１３を配置したときは、外枠３の窓部５から組子１１が露出するため、直接組子１１を見ることができるようになる。
【００３０】
透光板１３は、透光性を有する板状の部材であれば、ガラス板を用いてもよく、アクリル板等の樹脂を用いてもよい。また、透光板１３は、透明の部材としてもよく、磨りガラス調やデザインガラス調にしてもよい。また、無色とすることもできるが、色彩を施すこともできる。
【００３１】
次に、図５を参照して、天井枠４及び天井用組子枠体１５について説明する。本実施形態においては、天井枠４は、平面視で正方形となっている以外は、外枠３と基本的に同様の構成を備えている。具体的には、天井枠４には、窓部６と、天井用組子枠体装着部４ａが設けられ、天井用組子枠体装着部４ａには、鍔部４ｂが形成されている。また、天井枠４には、外枠３の上端部に連結される連結面４ｃが設けられている。この連結面４ｃは、面取り角度が４５°となるように形成されている。
【００３２】
天井用組子枠体１５は、天井用組子１１ａと、天井用枠体１２ａによって構成されている。また、天井用組子枠体１５の上面側（図５においては下面側）には、天井用透光板１３ａが設けられている。このように、本実施形態においては、天井枠４及び天井用組子枠体１５は、外枠３及び組子枠体１０と基本的に同様の構成を備えている。
【００３３】
なお、外郭２の底面に設けられる部材については、天井枠４及び天井用組子枠体１５と同様の構成とすることもでき、任意の構成を取ることができるが、本実施形態においては詳細な説明は省略する。
【００３４】
本実施形態の照明器具１は、上記のような構成を備えているため、外枠３に装着される組子枠体１０の種類を容易に変更することができ、外枠３の窓部５から露出する組子１１を容易に変更することができる。当該組子枠体１０の変更は、単に外枠３の組子枠体装着部３ａに装着される組子枠体１０の種類を変更すればよく、外枠３や組子１１自体に加工等が必要ない。
【００３５】
また、外枠３については、連結面３ｃの角度について、複数の角度のものを予め準備しておけば、外郭２の形状として、三角形、四角形、五角形、六角形等の様々な形状の外郭２とすることができる。
【００３６】
従って、上記のように、予め複数種類の組子枠体１０及び外枠３を準備しておけば、例えば、購入者がその場で気に入った組子枠体１０及び外枠３を選択して組み合わせ、様々な外郭２の形状及び組子１１の模様の組み合わせとすることができるので、オリジナリティの高い照明器具１を提供することが可能となる。
【００３７】
また、組子１１を制作する職人は、外枠３等の形状を気にすることなく、組子１１及び組子枠体１０の制作に集中することができるため、制作の効率が向上する。また、外枠３や天井枠４等は、機械加工で製造することができるので、大量生産が可能となり、製造コストも抑えることができる。
【００３８】
なお、上記実施形態においては、外枠３及び組子枠体１０の形状を縦長長方形にしているが、これに限らず、正方形にしてもよく、他の多角形とすることも容易である。また、本考案の組立体は、上記実施例のように照明器具１に好適であるが、その他、内部にランプのない置物や屏風、衝立、小物等に広く応用することができる。
【符号の説明】
【００３９】
１…照明器具（組立体）、２…外郭、３…外枠、３ａ…組子枠体装着部、３ｂ…鍔部、３ｃ…連結面、３ｄ…天井連結面、３ｅ…底部連結面、４…天井枠、４ａ…天井用組子枠体装着部、４ｂ…鍔部、４ｃ…連結面、５，６…窓部、１０…組子枠体、１１…組子、１１ａ…天井用組子、１２…枠体、１２ａ…天井用枠体、１３…透光板、１３ａ…天井用透光板、１５…天井用組子枠体。
【図１】
0003223455.tif 000003
【図２】
0003223455.tif 000004
【図３】
0003223455.tif 000005
【図４】
0003223455.tif 000006
【図５】
0003223455.tif 000007